(57)【要約】      （修正有）【課題】隣接する巾木端部の双方の対抗する少なくとも一対の中空穴に挿入し易く、抜けにくい構造体として連結する中間ジョイント及び同ジョイント付巾木を提供する。【解決手段】建物の壁の最下部を保護し、装飾するために取り付ける貫通した中空穴２を有する樹脂製巾木１の施工時、隣接する巾木１の継ぎ目間の隙間や上下のズレが無い様に、隣接する巾木端部の双方の対抗する少なくとも一対の中空穴２に挿入し易く、抜けにくい構造体として連結する中間ジョイント４であって、上面及び下面の双方または片方において、長さ方向と平行に複数の三角・円弧・角型等、各種山形状のリブを設けた構造を有する棒状体５である。【選択図】図１
0003219836.tif 000002
【実用新案登録請求の範囲】
【請求項１】
建物の壁の最下部を保護し、装飾するために取り付ける貫通した中空穴を有する樹脂製巾木の施工時、隣接する巾木の継ぎ目間の隙間や上下のズレが無い様に各種リブや凹凸等の構造を有する棒状体を形成し、隣接する巾木端部の双方の対抗する少なくとも一対の中空穴に挿入し易く、抜けにくい構造体として連結する事を特徴とする中間ジョイント。
【請求項２】
請求項１において、隣接する巾木端部の双方の対抗する少なくとも一対の中空穴に挿入し易く、抜けにくい構造体として連結する事を特徴とする中間ジョイント付巾木。
【考案の詳細な説明】
【技術分野】
【０００１】  本考案は、建物内装用の貫通した中空穴を有する樹脂製巾木の施工時、隣接する巾木の継ぎ目間の隙間や上下のズレが無い様に、隣接する巾木端部の双方の対抗する中空穴に挿入し易く、抜けにくい構造体として連結する中間ジョイント及び同ジョイント付巾木に関するものである。
【背景技術】
【０００２】  一般的な巾木はＭＤＦ（Ｍｅｄｉｕｍ  Ｄｅｎｓｉｔｙ  Ｆｉｂｅｒｂｏａｒｄ：中密度繊維板）の表面に対し、裏面に糊引きした木目印刷樹脂フィルムに温風を掛けながらラッピングした木目装飾板材で、その規格サイズは厚み７ｍｍ×幅４０ｍｍないし６０ｍｍ×長さ約４ｍである。
【考案の概要】
【考案が解決しようとする課題】
【０００３】  巾木規格製品の前記サイズ及び梱包ダンボール１ケース当たりの入数は製造メーカーにより異なるが、一般的な入数は約１０本程度であり、製品が長過ぎて宅配便や路線便トラック等では１ケース単位で発送できず、チャーター便トラックでないと発送できない。そのため小ロットの巾木をチャーター便トラック発送する場合、１ケース当たり、即ち、巾木１本当たりの運賃がかかり過ぎるという課題がある。【０００４】  そこで、巾木の製品規格長さを半裁して約２ｍにし、１ケース２０本前後の単位で発送する事で課題を解決できる。しかし、そうすると巾木の裏面に糊を付けて壁面に貼り付けし、かつ、巾木の溝下側裾より斜め下方向に金属ピンを壁面に打ち付けて施工し固定するが、巾木長さを半分にする事で施工の手間が約２倍になり、施工時に隣接する巾木の継ぎ目間の隙間や上下のズレを生じ易いという新たな課題が発生する。
【課題を解決するための手段】
【０００５】  そこで、隣接する巾木の継ぎ目間に隙間や上下のズレが無い様に施工するために本考案による中間ジョイントを形成し、巾木製造工場にて発送前に予め、同ジョイントを巾木の片側端部の少なくとも一つの中空穴に挿入する。
ただし、巾木の切断は長さ方向に対し正確に直角にカットしないと継ぎ目間に隙間を生じるので特に、注意を要する。
【考案の効果】
【０００６】  まず、前記の通り、巾木規格長さを半裁して約２ｍ長さにすることで一部宅配便や路線便全般でも十分、発送可能となり、小ロットでのチャーター便トラック発送の代わりに一部宅配便や路線便による発送により巾木運賃をコストダウンできる。【０００７】  次に、予め、巾木製造工場にて中間ジョイントを巾木の片側端部の少なくとも一つの中空穴に挿入しているので、施工現場では同中間ジョイントを隣接する巾木端部の対抗する中空穴に挿入して連結すれば、巾木継ぎ目間の隙間や上下のズレが無い様に施工できる効果が得られる。
【図面の簡単な説明】
【０００８】
【図１】  中間ジョイントを隣接する巾木端部の双方の対抗する中空穴に挿入し連結する直前の斜視図
【図２】  巾木用中間ジョイントのＡ−Ａ’断面図
【考案を実施するための形態】
【０００９】  一般的な巾木は、木目印刷した樹脂フィルム裏面にホットメルト接着剤等を塗工し、温風をかけながらＭＤＦ木質板にラッピングしているが、巾木端部に中空穴は開いていない。しかし、硬質塩化ビニル樹脂製等の巾木はコストダウンと軽量化等のために複数の貫通する中空穴を設けて異形押出加工により製造されるが、同中空穴の四角形状の寸法はバラついたり、一部変形したりしている。そのため隣接する樹脂製巾木の双方の対抗する中空穴に中間ジョイントを挿入して巾木を結合する場合、キツ過ぎたり緩過ぎて適度な嵌合が得られない場合が多い。
そこで、巾木端部の中空穴の形状や寸法がバラついても中間ジョイントの棒状体に各種リブや凹凸等を付加したり、少し柔らかい材質に変更する事により隣接する巾木端部の双方の対抗する少なくとも一対の中空穴に強制的に挿入し易く、抜けにくい構造体として連結する中間ジョイント及び同ジョイント付巾木を形成する。
【実施例】
【００１０】  以下、添付図面に従って一実施例を説明する。１は硬質塩化ビニル樹脂製巾木、２は巾木製品の軽量化とコストダウン等のために形成した貫通する中空穴、３は装飾効果も兼ねた巾木溝であり、主目的は溝下側裾より斜め下方向に、かつ、一定間隔の幅方向に目立たないように金属ピンを打ちこみ、巾木裏面を糊貼りするのと併せて巾木を固定する、４は隣接する巾木の継ぎ目間の隙間や上下のズレがない様に施工するための中間ジョイント、５は同ジョイントを隣接する巾木の双方の対抗する一対の中空穴に強制的に挿入し、抜けにくくするために中間ジョイントの上面及び下面の双方において、長さ方向と平行に三本の三角山リブを設けた構造を有する棒状体である。【００１１】  本考案は中空穴２を有する樹脂製巾木１の施工時、隣接する巾木１の継ぎ目間の隙間や上下がズレが無い様に上下の各々に三本の三角山リブを設けた構造を有する棒状体５を形成し、隣接する巾木端部の双方の対抗する少なくとも一対の中空穴２に挿入し易く、抜けにくい構造体として連結する中間ジョイント４と同ジョイント付巾木に関するものである。
【符合の説明】
【００１２】    １    巾木
２    巾木の貫通した中空穴
３    巾木溝
４    中間ジョイント
５    上下の各々に三本の三角山リブを設けた構造を有する棒状体
【図１】
0003219836.tif 000003
【図２】
0003219836.tif 000004
【手続補正書】
【提出日】平成30年10月4日(2018.10.4)
【手続補正１】
【補正対象書類名】実用新案登録請求の範囲
【補正対象項目名】全文
【補正方法】変更
【補正の内容】
【実用新案登録請求の範囲】
【請求項１】
建物の壁の最下部を保護し、装飾するために取り付ける貫通した中空穴を有する樹脂製巾木の施工時、隣接する巾木の継ぎ目間の隙間や上下のズレが無い様に、隣接する巾木端部の双方の対抗する少なくとも一対の中空穴に挿入し易く、抜けにくい構造体として連結する中間ジョイントであって、上面及び下面の双方または片方において、長さ方向と平行に複数の三角・円弧・角型等、各種山形状のリブを設けた構造を有する棒状体である事を特徴とする中間ジョイント。
【請求項２】
隣接する巾木端部の双方の対抗する少なくとも一対の中空穴に挿入し易く、抜けにくい構造体として、請求項１に記載の中間ジョイントを連結する事を特徴とする中間ジョイント付巾木。